(57)【特許請求の範囲】
【請求項１】
樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒塗装を施したスモークシートを介在させ点灯の有無を明確にすると共に、前記７セグＬＥＤとの接触面には接着剤の塗布面を設けた給湯機のリモコン装置。
【請求項２】
樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒塗装を施した別シートを接着したスモークシートを介在させ点灯の有無を明確にすると共に、前記７セグＬＥＤとの接触面には接着剤の塗布面を設けた給湯機のリモコン装置。
【請求項３】
樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒色シートを接着したスモークシートを介在させ点灯の有無を明確にすると共に、前記７セグＬＥＤとの接触面には接着剤の塗布面を設けた給湯機のリモコン装置。
【発明の詳細な説明】
【０００１】
【発明の属する技術分野】
本発明はガス、石油などを燃焼させることにより得られる温水を利用する給湯機のリモコン装置に関するものである。
【０００２】
【従来の技術】
従来の給湯機のリモコン装置は、例えば図５に示すように樹脂ケース上１と樹脂ケース下２内に収納された基板３上に一個の数字表示用の７セグＬＥＤ４と点灯表示する表示用ＬＥＤ５が配置され、またこの７セグＬＥＤ４に対応する樹脂ケース上１に小さな開口部６を設けられ、またこの７セグＬＥＤ４一個だけを覆うスモークシート７が接着され配設されていた。
【０００３】
スモークシート７の片面には図示していない接着剤がついており、７セグＬＥＤ４の上にスモークシート７が接着してある。樹脂ケース上１に設けられた小さな開口部６は、透明板８により塞がれ、片面に接着剤付きのポリエステルフィルム９により透明板８と樹脂ケース上１が固定される。また、樹脂ケース上１と基盤３は小型ビス１０で基板３側から固定される。樹脂ケース上１等と樹脂ケース下２とは、樹脂ケース上１側からビス１１で固定される。
【０００４】
【発明が解決しようとする課題】
しかしながら上記従来構成でのスモークシート７は、７セグＬＥＤ４の点灯有無を明瞭化するためのものであり、表示する情報量への要望が増え、基板３上に複数のＬＥＤ４、５を配置すると、樹脂ケース上１表面の開口部６が乱立し外観性の悪いリモコン装置になる場合があった。
【０００５】
また、複数の７セグＬＥＤ４をまとめ、開口部６を一ヵ所にするとスモークシート７を配置しても、開口部６が大きくなるため光が入り込み易く、７セグＬＥＤ４以外の基板３上の多くの電子部品が開口部６を通し見えてしまうという課題があった。
【０００６】
本発明は上記課題を解決するもので、老人にも見易いＬＥＤ点灯によるリモコン方式で情報量を多くする７セグＬＥＤを配置し、老人にも見やすい開口部を大きくしても表示部分だけがはっきり点灯確認できる給湯機用リモコン装置を得ることを目的としたものである。
【０００７】
【課題を解決するための手段】
本発明は上記目的を達成するため、樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒塗装を施したスモークシートを介在させ点灯の有無を明確にすると共に、前記７セグＬＥＤとの接触面には接着剤の塗布面を設けたものである。
【０００８】
本発明によれば７セグＬＥＤと点灯表示用ＬＥＤの点灯部以外に黒塗装を施したシートとスモークシートを接着したものを樹脂ケース表面に設けられた開口部を封口する透明板と７セグＬＥＤや点灯表示用ＬＥＤの間に設けているので、複数個の７セグＬＥＤや点灯表示用ＬＥＤを一箇所の大きな開口部にまとめても光が透過しにくくなるため、７セグＬＥＤ以外の基板上の多くの電子部品が開口部を通して見えなくなり、表示部分だけがはっきり点灯確認できる。また、複数個のＬＥＤを配置しても樹脂ケース表面の小開口部を乱立させることなく樹脂ケース表面に開口部を大きく設けることができるため外観性にもよりすぐれたものとなる。
【０００９】
【発明の実施の形態】
本発明の請求項１に記載の発明は、樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒塗装を施したスモークシートを介在させ点灯の有無を明確にすると共に、前記７セグＬＥＤとの接触面には接着剤の塗布面を設けたものであり、７セグＬＥＤ及び点灯表示用のＬＥＤをまとめ、開口部を大きくしても光が入り込まなくなり、７セグＬＥＤ及び点灯表示用のＬＥＤ以外の基板上の多くの電子部品が開口部を通して見えなくなり、外観性もよりよくすることができる。
【００１０】
請求項２に記載の発明は、樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒塗装を施した別シートを接着したスモークシートを介在させ点灯の有無を明確にすると共に、前記７セグＬＥＤとの接触面には接着剤の塗布面を設けたものであり、７セグＬＥＤ及び点灯表示用のＬＥＤをまとめ、開口部を大きくしても光が入り込まなくなり、７セグＬＥＤ及び点灯表示用のＬＥＤ以外の基板上の多くの電子部品が開口部を通して見えなくなり、外観性もよりよくすることができる。
【００１１】
請求項３に記載の発明は、樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒色シートを接着したスモークシートを介在させ点灯の有無を明確にすると共に、前記７セグＬＥＤとの接触面には接着剤の塗布面を設けたものである。そして、７セグＬＥＤ及び点灯表示用のＬＥＤをまとめ、開口部を大きくしても光が入り込まなくなり、７セグＬＥＤ及び点灯表示用のＬＥＤ以外の基板上の多くの電子部品が開口部を通して見えなくなり、外観性もよりよくすることができる。
【００１２】
以下、本発明の実施の形態について、図１から図４を用いて説明する。
（実施例１）
図１は本発明の給湯機のリモコン装置の分解斜視図を示し、図２は実施例１の断面図を示している。図１、２において、３は基板であり７セグＬＥＤ４や点灯表示用ＬＥＤ５等の点灯表示部品を備えている。７セグＬＥＤ４と点灯表示用ＬＥＤ５は基板３から高さを等しく設けてある。また、１２はスモークシート７に点灯部を除いて黒塗装１３し、７セグＬＥＤ４との接着面には接着剤１４塗布されたシートであり、このシート１２を基板３の７セグＬＥＤ４に接着する。点灯表示部の開口部１５を設けた樹脂ケース上１と基板３は点灯表示部と反対側の面から小型ビス１０で固定される。基板３に設けられた７セグＬＥＤ４と点灯表示用ＬＥＤ５は、樹脂ケース上１の開口部１５に収まるように配置されている。また、樹脂ケース上１の開口部１５は透明板８で塞がれる。透明板８には点灯表示部の情報がなにを示しているかわかるように基板側から図示していない文字を印刷してある。さらに、透明板８と樹脂ケース上１を固定するために、接着剤付きのポリエステルフィルム９を樹脂ケース上１と透明板８に張りつける。樹脂ケース下２の上に樹脂ケース上１などをのせ、樹脂ケース上１側からビス１１で固定する。
【００１３】
シート１２は、スモークシート７の基板側の面に、７セグＬＥＤ４や点灯表示用ＬＥＤ５などの点灯部を除いて黒塗装１３するとともに７セグＬＥＤ４との接着面に接着剤１４を塗布したシートであり、スモークシート７に点灯表示部以外の面を黒塗装１３することで、複数のＬＥＤを基板上に配置しても、樹脂ケース上１に点灯用小開口部を乱立させることなく、大きめな開口部１５を一つ設けるだけで点灯表示を満足させることができ、外観性のよりよいリモコン装置にすることができる。
【００１４】
また、樹脂ケース上１に点灯表示用の開口部１５を大きく設けても、黒塗装１３で開口部内部への光の侵入を防ぐため、７セグＬＥＤ以外の基板上の図示していない多くの電子部品が開口部を通して見えなくすることができる。さらに、シート１２と７セグＬＥＤ４を接着させることで、シート１２を簡単に固定することが可能となる。
【００１５】
（実施例２）
図３は本発明の実施例２の給湯機のリモコン装置の断面図である。
【００１６】
実施例１と異なる点は、黒塗装１３を黒塗装シート１７にし、黒塗装シート１７をスモークシート７に基板側の面から接着剤１４で接着するとともに７セグＬＥＤとの接触面には接着剤を塗布したところである。なお、実施例１と同一符号のものは同一構造を有し、説明は省略する。
【００１７】
図３において、黒塗装シート１７は、透過性のある別シート１６の基板側の面に、７セグＬＥＤ４や点灯表示用ＬＥＤ５などの点灯部を除いて黒塗装１３したシートであり、スモークシート７の基板側の面に接着剤１４で接着させることで、複数のＬＥＤを基板上に配置しても、樹脂ケース上１に点灯用小開口部を乱立させることなく、大きめな開口部１５を一つ設けるだけで点灯表示を満足させることができ、外観性のよりよいリモコン装置にすることができる。
【００１８】
また、樹脂ケース上１に点灯表示用の開口部１５を大きく設けても、黒塗装シート１７で開口部内部への光の侵入を防ぐため、７セグＬＥＤ以外の基板上の図示していない多くの電子部品が開口部を通して見えなくすることができる。さらに、スモークシート７に黒塗装シート１７を接着させたシートと７セグＬＥＤ４を接着させることで、前記シートを簡単に固定することが可能となる。
【００１９】
（実施例３）
図４は本発明の実施例３の給湯機のリモコン装置の断面図である。
【００２０】
実施例１と異なる点は、黒塗装１３を黒シート１８にし、黒シート１８を接着剤付きのスモークシート７に基板側の面から接着したところにある。なお、実施例１と同一符号のものは同一構造を有し、説明は省略する。
【００２１】
図４において、透過性のある接着剤付きのスモークシート７の基板側の面に、７セグＬＥＤ４や点灯表示用ＬＥＤ５などの点灯部を切り抜いた黒シート１８を、スモークシート７の基板側の面に接着させることで、複数のＬＥＤを基板上に配置しても、樹脂ケース上１に点灯用小開口部を乱立させることなく、大きめな開口部１５を一つ設けるだけで点灯表示を満足させることができ、外観性のより良いリモコン装置にすることができる。
【００２２】
また、樹脂ケース上１に点灯表示用の開口部１５を大きく設けても、黒シート１８で開口部内部への光の侵入を防ぐため、７セグＬＥＤ以外の基板上の図示していない多くの電子部品が開口部を通して見えなくすることができる。さらに、スモークシート７に黒シート１８を接着させたシートと７セグＬＥＤ４を接着させることで、前記シートを簡単に固定することが可能となる。
【００２３】
【発明の効果】
以上のように本発明によれば、スモークシートの基板側の面に、７セグＬＥＤや点灯表示用ＬＥＤなどの点灯部を除いて黒塗装するとともに７セグＬＥＤとの接着面に接着剤を塗布することで、複数のＬＥＤを基板上に配置しても、樹脂ケース上に点灯用小開口部を乱立させることなく、大きめな開口部を一つ設けるだけで点灯表示を満足させることができ、外観性のより良いリモコン装置にすることができる。
【００２４】
また、樹脂ケース上に点灯表示用の開口部を大きく設けても、黒塗装で開口部内部への光の侵入を防ぐため、７セグＬＥＤ以外の基板上の多くの電子部品が開口部を通して見えなくすることができる。さらに、黒塗装したスモークシートと７セグＬＥＤを接着させることで、スモークシートを簡単に固定することが可能となる。
【図面の簡単な説明】
【図１】本発明の実施例１の給湯機のリモコン装置を示す分解斜視図
【図２】同装置の断面図
【図３】本発明の実施例２の給湯機のリモコン装置を示す断面図
【図４】本発明の実施例３の給湯機のリモコン装置を示す断面図
【図５】従来の給湯機のリモコン装置を示す分解斜視図
【符号の説明】
３  基板
４  ７セグＬＥＤ
５  点灯表示用ＬＥＤ
６、１５  開口部
７  スモークシート
８  透明板
１２  シート
１４  接着剤
１７  黒塗装シート
１６  別シート
１８  黒シート
【図１】
0003811993.tif 000002
【図２】
0003811993.tif 000003
【図３】
0003811993.tif 000004
【図４】
0003811993.tif 000005
【図５】
0003811993.tif 000006